(57)【要約】【課題】フィルムに熱を加える工程を必要としない梱包方法を提供する。【解決手段】底面２０と複数の側面２１、２２とによって被梱包物１１を収容する空間が形成された箱体２と、伸縮性及び自己粘着性を有するフィルム３とからなり、フィルム３の中央部３０が箱体２内に挿入されて底面２０に接着している梱包箱１を準備し、被梱包物１１を箱体２内に収容してフィルム３の中央部３０上に配置し、フィルム３の一端側３１を引き伸ばして被梱包物１１に被せて、さらにその上からフィルム３０の他端側３１を引き伸ばして被梱包物１１に被せて、一端側３１と他端側３２とを自己粘着性によって互いに接着させて、被梱包物１１を箱体２の底面２０に保持する。【選択図】図２
2015101353.tif 000002
【特許請求の範囲】
【請求項１】
底面と複数の側面とによって被梱包物を収容する空間が形成された箱体と、伸縮性及び自己粘着性を有するフィルムとからなり、前記フィルムの中央部が前記箱体内に挿入されて前記底面に接着している梱包箱を準備し、
前記被梱包物を前記箱体内に収容して前記フィルムの前記中央部上に配置し、
前記フィルムの一端側を引き伸ばして前記被梱包物に被せて、さらにその上から前記フィルムの他端側を引き伸ばして前記被梱包物に被せて、前記一端側と前記他端側とを前記自己粘着性によって互いに接着させて、前記被梱包物を前記箱体の前記底面に保持する、ことを特徴とする梱包方法。
【請求項２】
底面及び複数の側面を有する箱体と、伸縮性及び自己粘着性を有するフィルムとからなり、前記フィルムの中央部が前記箱体内に挿入されて前記底面に接着している梱包箱を製造する梱包箱製造装置であって、
前記フィルムの一端側及び他端側を把持して、前記フィルムを前記箱体の上方に位置させる一対の把持部材と、前記フィルムを上方から前記箱体内へ押し込む押込部材と、を備え、
前記フィルムを把持している一対の前記把持部材を互いに近接させつつ前記押込部材を下方に移動させて、前記フィルムを前記箱体内に押し込んで、前記フィルムの前記中央部を前記箱体の前記底面に接着し、
一対の前記把持部材による前記フィルムの把持を解除して、前記フィルムの前記一端側を前記箱体の対向する一対の前記側面の一方に掛けて垂らし、かつ前記フィルムの前記他端側を一対の前記側面の他方に掛けて垂らすことを特徴とする梱包箱製造装置。
【請求項３】
前記箱体の高さ、前記箱体の一対の前記側面間の幅、及び、前記フィルムの前記側面からの垂下長さに基づいて、一対の前記把持部材の動作及び前記押込部材の動作を調整可能であることを特徴とする請求項２に記載の梱包箱製造装置。
【請求項４】
フィルムロールから連続フィルムを巻き出す巻出機構と、巻き出された前記連続フィルムを所定の長さに切断して前記フィルムを形成する切断部材と、を備えることを特徴とする請求項２または請求項３に記載の梱包箱製造装置。
【発明の詳細な説明】
【技術分野】
【０００１】
本発明は、伸縮性及び自己粘着性のあるフィルムを有する梱包箱を用いて被梱包物を梱包する梱包方法に関する。また、本発明は、当該梱包箱を製造する梱包箱製造装置に関する。
【背景技術】
【０００２】
本出願の出願人は、特許文献１に記載されている通り、被梱包物を梱包する梱包箱に関する特許出願をしている。特許文献１によると、梱包箱は、被梱包物を収容するための収容箱と、ブロッキング性の高い熱収縮性フィルムとからなる。収容箱は、底面と複数の側面とを有し、これらによって被梱包物を収容する空間が形成されている。熱収縮性フィルムは収容箱内に挿入されており、その中央部が粘着テープ等を介して収容箱の底面に接着している。
【０００３】
作業者は、被梱包物を収容箱内に収容し、熱収縮性フィルムで被梱包物全体を覆う。次いで、梱包箱をシュリンクトンネルに通して、被梱包物を覆っている熱収縮性フィルムに熱風を吹き付ける。すると、熱収縮性フィルムが収縮して被梱包物に密着し、かつ熱収縮性フィルム同士が接着する。それによって、被梱包物が熱収縮性フィルムにより包装され、収容箱内でその底面に保持される。その後、収容箱を閉じることによって被梱包物の梱包が完了する。
【０００４】
しかしながら、シュリンクトンネルなどの加熱装置により熱収縮性フィルムを加熱する工程を含む梱包方法は、冷凍食品や、非耐熱性のプラスチック製品など、熱を加えることが好ましくない物には使用することができない。
【先行技術文献】
【特許文献】
【０００５】
【特許文献１】特開２０１０−１５９０７８号公報
【発明の概要】
【発明が解決しようとする課題】
【０００６】
そこで、本発明は、フィルムに熱を加える工程を必要としない梱包方法を提供する。また、本発明は、当該梱包方法を実施する際に使用する梱包箱を製造する梱包箱製造装置を提供する。
【課題を解決するための手段】
【０００７】
上記課題を解決するために本発明に係る梱包方法は、底面と複数の側面とによって被梱包物を収容する空間が形成された箱体と、伸縮性及び自己粘着性を有するフィルムとからなり、前記フィルムの中央部が前記箱体内に挿入されて前記底面に接着している梱包箱を準備し、
前記被梱包物を前記箱体内に収容して前記フィルムの前記中央部上に配置し、
前記フィルムの一端側を引き伸ばして前記被梱包物に被せて、さらにその上から前記フィルムの他端側を引き伸ばして前記被梱包物に被せて、前記一端側と前記他端側とを前記自己粘着性によって互いに接着させて、前記被梱包物を前記箱体の前記底面に保持する、ことを特徴とする梱包方法。
【０００８】
また、本発明に係る梱包箱製造装置は、上記の梱包方法の実施の際に使用する梱包箱を製造するものであって、前記フィルムの前記一端側及び前記他端側を把持して、前記フィルムを前記箱体の上方に位置させる一対の把持部材と、前記フィルムを上方から前記箱体内へ押し込む押込部材と、を備え、
前記フィルムを把持している一対の前記把持部材を互いに近接させつつ前記押込部材を下方に移動させて、前記フィルムを前記箱体内に押し込んで、前記フィルムの前記中央部を前記箱体の前記底面に接着し、
一対の前記把持部材による前記フィルムの把持を解除して、前記フィルムの前記一端側を前記箱体の対向する一対の前記側面の一方に掛けて垂らし、かつ前記フィルムの前記他端側を一対の前記側面の他方に掛けて垂らすことを特徴とする。
【０００９】
好ましくは、前記箱体の高さ、前記箱体の一対の前記側面間の幅、及び、前記フィルムの前記側面からの垂下長さに基づいて、一対の前記把持部材の動作及び前記押込部材の動作を調整可能である。
【００１０】
フィルムロールから連続フィルムを巻き出す巻出機構と、巻き出された前記連続フィルムを所定の長さに切断して前記フィルムを形成する切断部材と、を備える。
【発明の効果】
【００１１】
本発明に係る梱包方法では、伸縮性及び自己粘着性を有するフィルムを用いることにより、シュリンクトンネルなどの加熱装置を用いることなく、被梱包物を箱体の底面に保持することができる。従って、本発明に係る梱包方法は、被梱包物が、冷凍食品、非耐熱性のプラスチック製品のように加熱することが好ましくない物でも適用することができる。
【図面の簡単な説明】
【００１２】
【図１】本発明に係る梱包方法を説明するための図である。
【図２】本発明に係る梱包方法を説明するための図である。
【図３】本発明に係る梱包方法の実施の際に使用する梱包箱の他の形態を示す図である。
【図４】本発明に係る梱包箱製造装置の概略的な構成を示す正面図である。
【図５】本発明に係る梱包箱製造装置の動作を説明する図である。
【図６】本発明に係る梱包箱製造装置の動作を説明する図である。
【発明を実施するための形態】
【００１３】
以下、図面を参照して、本発明に係る梱包方法について説明する。
【００１４】
まず、梱包方法を実施するにあたり、図１Ａに示されるような梱包箱１を準備する。
梱包箱１は、自立性を有する立方体形状の箱体２と、シート状のフィルム３とからなる。箱体２は、底面２０と、４つの側面（図１の左右一対の側面２１、２２と、不図示の前後一対の側面）とを備えており、これらによって物品を収容する空間が形成されている。箱体２は、例えば、段ボールシートであって、所定の折り目に沿って折り曲げることによって形成される。
【００１５】
フィルム３は、伸縮性を有しており、引っ張ると伸び、その引っ張りを解除すると元の形状の戻ろうと縮む。さらに、フィルム３は、自己粘着性を有している。自己粘着性とは、接着剤や粘着剤を使用することなく、物質自体が繰り返し粘着性を有する性質であり、剥離が比較的容易であることが付随的に求められる。伸縮性及び自己粘着性を有するフィルム３は、例えば、ストレッチフィルム、ラップフィルム、食品用包装フィルムなどと称されるフィルムであって、例えば、ポリエチレン系樹脂、塩化ビニル系樹脂、ポリオレフィン系樹脂などの合成樹脂フィルムである。
【００１６】
図１Ａの通り、フィルム３の中央部３０は、箱体２の底面２０に接着剤１０によって接着されて固定されている。フィルム３の一端側３１は、対向する一対の側面２１、２２のうち一方の側面２１に掛けられており、その端部が側面２１の上縁から外側に垂れている。フィルム３の他端側３２は、他方の側面２２に掛けられており、その端部が側面２２の上縁から外側に垂れている。このフィルム３の一端側３１及び他端側３２は、箱体２に対して固定されていない。
【００１７】
作業者は、図１Ｂの通り、上記梱包箱１を準備した後に、被梱包物１１を箱体２内に収容してフィルム３の中央部３０上に配置する。作業者は、片方の手で側面２１の外側に垂れているフィルム３の一端側３１の端部を把持して、一端側３１を引き伸ばし、図２Ａの通り、伸ばした状態で被梱包物１１に覆い被せる。次いで、作業者は、もう片方の手で側面２２の外側に垂れているフィルム３の他端側３２の端部を把持して、他端側３２を引き伸ばし、図２Ｂの通り、伸ばした状態で被梱包物１１にさらにその上から覆い被せる。
【００１８】
前述の通り、フィルム３は自己粘着性を有していることにより、被梱包物１１に被せられたフィルム３の一端側３１と他端側３２とが接触面で互いに接着する。それによって、被梱包物１１がフィルム３に包装される。さらに、フィルム３は伸縮性を有していることにより、伸ばされ状態で互いに接着している一端側３１及び他端側３２のそれぞれが、互いを引き伸ばす方向に引っ張りながら縮もうとする。それによって、フィルム３が被梱包物１１に密着する。このフィルム３の被梱包物１１への密着及び箱体２の底面２０への接着によって、被梱包物１１が箱体２内で底面２０に保持される。
【００１９】
それから、作業者は、箱体２に蓋をして箱体２を閉じる。
【００２０】
この梱包方法によれば、上記の通り、フィルム３を加熱しなくても、被梱包物１１をフィルム３で包んで保持することができる。従って、本発明に係る梱包方法は、被梱包物１１が、冷凍食品、非耐熱性のプラスチック製品など、加熱することが好ましくない物であっても適用することができる。
【００２１】
なお、フィルム３の箱体２の底面２０への接着は、上記のようなものに限定されるものではない。一例として、図３のような梱包箱１でもよい。図３の梱包箱１では、箱体２の底面２０は、各側面２１、２２の下縁から延設されて内側に折り曲げられた一対の底フラップ２３、２４と、各底フラップ２３、２４のそれぞれの切欠きにより形成された空隙を跨ぐように下側から張り付けられた粘着テープ２５とからなる。フィルム３の中央部３０が、この空隙に入り込んで粘着テープ２５の粘着面に接触することで、底面２０に接着して固定される。
このように、フィルム３の箱体２の底面２０への接着は、どのようなものでもよい。
【００２２】
次に、上記した梱包箱１を製造する梱包箱製造装置について説明する。
【００２３】
図４に、梱包箱製造装置４の概略的な構成が示されている。梱包箱製造装置４では、コンベヤ４０が、水平方向に（図４の紙面に対して垂直方向）に延設されており、梱包箱１を構成する箱体２を搬送する。コンベヤ４０の上方には、後述の通りフィルム３を箱体２内へ押し込む押込部材４１が設置されている。押込部材４１は、その駆動機構４２によって上下方向に移動可能である。
【００２４】
フィルムロール４３がセットされており、巻出機構４４によってフィルムロール４３から連続フィルム４５が巻き出される。巻出機構４４の下流側には切断部材４６が配置されている。切断部材４６は、不図示の駆動機構によって上下動し、巻出機構４４によって巻き出された連続フィルム４５を切断し、フィルム３を形成する。
【００２５】
さらに、フィルム３を把持するために一対の把持部材４７、４８が設けられている。一対の把持部材４７、４８はそれぞれ、不図示の駆動機構によって独立して駆動する。一方の把持部材４７は、コンベヤ４０上の箱体２と押込部材４１間の高さ範囲で支持されており、その駆動機構によって、コンベヤ４０の延設方向を直角に横切る水平方向（即ち、図４の方向Ａ及び方向Ｂ）に移動可能であり、巻き出された連続フィルム４５の先端４９に対して近接及び離間する。
【００２６】
他方の把持部材４８は、その駆動機構によって上下方向に移動可能であり、図４に示される退避位置から一方の把持部材４７と同じ高さにまで下降することができる。さらに、把持部材４８は、その駆動機構によって、一方の把持部材４７と同じ高さにおいて方向Ａ及び方向Ｂに移動可能である。
【００２７】
次に、梱包箱製造装置４の動作について説明する。図４の通り、箱体２がコンベヤ４０により搬送されて押込部材４１の真下に位置する。一方の把持部材４７が方向Ａに移動して連続フィルム４５の先端４９に近接し、先端４９を把持する。そして、把持部材４７は、巻出機構４４と同期しながら方向Ｂに移動して、連続フィルム４５を不必要に伸ばすことなく方向Ｂに引き出す。
【００２８】
把持部材４７は、連続フィルム４５を所定の長さだけ切断部材４６の位置から方向Ｂに引き出すと一度停止する。そして、切断部材４６によって連続フィルム４５が切断され、梱包箱１を構成する一枚のフィルム３が形成される。
【００２９】
この連続フィルム４５の切断によって、把持部材４７は、フィルム３の一端側３１を把持することとなる。さらに、把持部材４７は、方向Ｂに移動してフィルム３をわずかに移動させる。それによって、ガイド板５０上において、フィルム３の他端側３１の端部が、切断されて新たに形成された連続フィルム４５の先端４９から離れる。
【００３０】
次いで、退避している他方の把持部材４８が、フィルム３の他端側３２の端部と、新たな連続フィルム４５の先端４９との間に下降して、フィルム３の他端側３２を把持する。それによって、フィルム３の一端側３１と他端側３２とが一対の把持部材４７、４８により把持されることとなる。
【００３１】
フィルム３を把持している一対の把持部材４７、４８は、フィルム３を不必要に伸ばさないように同期して方向Ｂに移動し、図５Ａの通り、フィルム３を押込部材４１の下方で箱体２の上方に位置させる。このとき、方向Ａ及び方向Ｂ（図４参照）における箱体２の中心、フィルム３の中心、及び押込部材４１の中心が一致する。
【００３２】
そして、梱包箱製造装置４は、図５Ｂの通り、押込部材４１を下方に移動させてフィルム３の中央部３０に上方から押し当てて、フィルム３を箱体２内に押し込む。フィルム３の中央部３０が、押込部材４１によって箱体２の底面２０に押し当てられて、底面２０に予め塗布された接着剤１０によって接着されて固定される。梱包箱製造装置４は、図５Ａの通り、フィルム３を押し込む際、一対の把持部材４７、４８を互いに近接させながら押込部材４１を下方に移動させる。それによって、伸縮性及び自己粘着性を有するフィルム３が押込部材４１により無理に押し伸ばされてしまったり、箱体２への挿入の際に箱体２に引っかかったりすることが防止される。
【００３３】
それから、図６Ａの通り、一対の把持部材４７、４８によるフィルム３の把持を同時に解除することにより、フィルム３の一端側３１を箱体２の対向する一対の側面２１、２２のうち一方の側面２１に掛けて、その端部を外側に垂らし、フィルム３の他端側３２を他方の側面２２に掛けて、その端部を外側に垂らす。そして、押込部材４１が上方へ移動して箱体２内から出る。こうして、図６Ｂの通り、前述した梱包方法を実施する際に用いられる梱包箱１が製造される。
【００３４】
それから、図４のコンベヤ４０が梱包箱１を下流に搬送して、新たな箱体２を押込部材４１の下方に位置させる。他方の把持部材４８は、図４に示された退避位置に戻る。一方の把持部材４７は、再び連続フィルム４５の先端４９を把持して所定の長さだけ方向Ｂに引き出す。以下、上記したステップが繰り返されて梱包箱１が順次製造される。
【００３５】
上記の梱包箱製造装置４によれば、伸縮性及び自己粘着性を有するフィルム３を無理に引き伸ばすことなく、フィルム３を箱体２の内側に沿うように箱体２内に挿入し、その中央部３０を箱体２の底面２０に接着し、かつその一端側３１及び他端側３２を箱体２の側面２１、２２に掛けて垂らすことができる。
【００３６】
なお、梱包箱製造装置４には不図示の操作盤が設けられ、操作盤によって、箱体２のサイズを、少なくとも図６Ｂのように箱体２の高さＨ、一対の側面２１、２２間の幅Ｗを入力することができる。さらに、操作盤によって、製造する梱包箱１におけるフィルム３の側面２１、２２からの垂下長さＬも入力することができる。
【００３７】
梱包箱製造装置４は、これらの入力情報に基づいて、一対の把持部材４７、４８の動作、及び、押込部材４１の動作を調整する。
具体的には、梱包箱製造装置４は、当該入力情報に基づいて、把持部材４７によって連続フィルム４５を引き出す量を調整し、箱体２のサイズにあった長さのフィルム３を形成する。さらに、梱包箱製造装置４は、当該入力情報に基づいて、図５Ａ、図５Ｂのようにフィルム３を押し込む際の、押込部材４１の押込速度及び押込量や、一対の把持部材４７、４８の移動速度及び移動量を調整する。それによって、どのようなサイズの箱体２でも、図６Ｂの通り、伸縮性及び自己粘着性を有するフィルム３の中央部３０を底面２０に接着させ、一端側３１及び他端側３２を側面２１、２２に掛けて垂らすことができる。
【符号の説明】
【００３８】
１  梱包箱
１０  接着剤
１１  被梱包物
２  箱体
２０  底面
２１、２２  側面
２３、２４  底フラップ
２５  粘着テープ
３  フィルム
３０  中央部
３１  一端側
３２  他端側
４  梱包箱製造装置
４０  コンベヤ
４１  押込部材
４２  押込部材の駆動装置
４３  フィルムロール
４４  巻出機構
４５  連続フィルム
４６  切断部材
４７、４８  把持部材
４９  連続フィルムの先端
５０  ガイド板
【図１】
2015101353.tif 000003
【図２】
2015101353.tif 000004
【図３】
2015101353.tif 000005
【図４】
2015101353.tif 000006
【図５】
2015101353.tif 000007
【図６】
2015101353.tif 000008